(57)【要約】【課題】雄型の医療器具の共廻りを防止する機構を備えた雌型の医療器具の提供【解決手段】雌型の医療器具としての混注管１０は、混注管本体１１と、混注管本体１１に装着されるキャップ部材１４を備えている。混注管本体１１の開口部２５の上端面には、上方に突出した山部２８と下方に窪んだ谷部２９が交互に周方向に連続して形成されている。キャップ部材１４の下面には、混注管本体１１の分岐部２４の上面に形成された山部３５と谷部３６に対応するように、山部３５と谷部３６が交互に周方向に連続して形成されている。キャップ部材１４を混注管本体１１の分岐部２４に装着すると、その装着方向たる上下方向において、キャップ部材１４の山部３５と谷部３６が、混注管本体１１の谷部２９と山部２８に嵌まるので、キャップ部材１４が雄型の医療器具と一緒になって共廻りすることがない。【選択図】            図２
2004275665.tif 000002
【特許請求の範囲】
【請求項１】
雄型の接続口と、前記雄型の接続口の周囲を囲むカラーの内周面に形成された雌ねじ螺合構造とを有する雄型の医療器具を接続すべく、
前記雄型の医療器具の雄型の接続口が挿入される雌型の挿入口と、前記挿入口の外周部に、前記雄型の医療器具の雌ねじ螺合構造が螺合する螺合部を有するキャップ部材を、開口部に装着した雌型の医療器具において、
前記雌型の医療器具の開口部とキャップ部材が、互いの装着方向に突出し又は窪んだ山部と谷部が周方向に交互に連続した係合部をそれぞれ備えており、前記雌型の医療器具の開口部とキャップ部材を、山部と谷部を相互に係合させて装着したことを特徴とする雌型の医療器具。
【請求項２】
前記雌型の医療器具の開口部とキャップ部材が、上下方向に重合する装着部を備えており、それぞれ上下方向に突出し又は窪んだ山部と谷部が形成されていることを特徴とする請求項１に記載の雌型の医療器具。
【請求項３】
前記キャップ部材が雌型の医療器具の開口部に対して、開口部の半径方向に嵌合する構造を備えており、前記雌型の医療器具の開口部とキャップ部材が、前記半径方向の嵌合部位に、それぞれ半径方向に突出し又は窪んだ山部と谷部が形成されていることを特徴とする請求項１に記載の雌型の医療器具。
【発明の詳細な説明】
【０００１】
【発明の属する技術分野】
本発明は、雄型の接続口と、雄型の接続口の周囲を囲むカラーの内周面に形成された雌ねじ螺合構造とを有する雄型の医療器具（例えば、ツイストロック式注射器）を接続するのに適した接続ポートに関するものである。
【０００２】
【従来の技術】
雄型の医療器具としては、近年、注射針の脱落を防止するため、口部の周りに設けた円筒状のカラーに雌ねじ部を有し、注射針を螺合して使用するツイストロック式注射器が用いられるようになっている。斯かるツイストロック式注射器は、薬液バッグや、薬液の点滴や人工透析に用いられる輸液配管に対して、薬液や輸液の抽出、混入などを行なう場合に、注射針を螺合しない状態（ニードルレス）で使用して、薬液バッグや輸液配管に接続することが考案されている（特許文献１）。
【０００３】
また、ツイストロック式注射器１００は、図６（ａ）〜（ｃ）に示すように、雄テーパ状に突出した雄型の接続口１０１と、雄型の接続口１０１の周囲を囲むカラー１０２と、カラー１０２の内周面に形成された雌ねじ部１０３とを備えている。このツイストロック式注射器１００は、基端に螺合片１０６を備えた注射針１０７をカラー１０２に螺合させて取り付けるようになっている。これにより、注射針１０７の脱落による医療事故を防止することができるようになっている。なお、図中の１０８は注射器の押子を示している。
【０００４】
【特許文献１】
特許第２９５４５４９号公報
【０００５】
【発明が解決しようとする課題】
上記の特許文献１に記載されているように、注射針を螺合しない状態（ニードルレス）でツイストロック式注射器を使用して、薬液バッグや輸液配管に接続する医療器具では、ツイストロック式注射器を螺合するとき又は螺合を解除するときに、医療器具側の接続部が共廻りして、上手く接続又は解除できない事象が生じる。
【０００６】
例えば、上述した特許文献１の図２に示されたものは、ツイストロック式注射器が螺合する部材が、クリンプキャップにより、ボトルの開口部に固定されただけのものである。このため、ツイストロック式注射器を螺合させ、又は螺合を解除するときに、ツイストロック式注射器が螺合する部材が共廻りする可能性がある。
【０００７】
そこで、本発明は、斯かる雄型の医療器具の共廻りを防止する機構を備えた雌型の医療器具を提供することを目的としている。
【０００８】
【課題を解決するための手段】
本発明に係る雌型の医療器具は、雌型の医療器具の開口部とキャップ部材がそれぞれ装着部に、周方向に交互に連続して、装着方向に突出し又は窪んだ山部と谷部を備えており、雌型の医療器具の開口部とキャップ部材にそれぞれ設けた山部と谷部を相互に係合させたものである。
【０００９】
この雌型の医療器具によれば、雄型の医療器具を接続する場合に、雌型の医療器具の開口部とキャップ部材がそれぞれ設けた山部と谷部により周方向に係合しているので、キャップ部材が雄型の医療器具と共廻りすることがなくなり、作業性が良くなる。また、雌型の医療器具の開口部とキャップ部材がそれぞれ装着部に、周方向に交互に連続して、装着方向に突出し又は窪んだ山部と谷部を備えているので、雌型の医療器具の開口部にキャップ部材を装着するときに、キャップ部材と雌型の医療器具の開口部を周方向に位置合わせをする必要が無く、キャップ部材の装着作業も良い。
【００１０】
雌型の医療器具の開口部とキャップ部材が、例えば上下方向に重合する装着部を備えている場合には、それぞれ上下方向に突出し又は窪んだ山部と谷部を形成するとよい。
【００１１】
また、キャップ部材が雌型の医療器具の開口部に対して、開口部の半径方向に嵌合する構造を備えている場合には、雌型の医療器具の開口部とキャップ部材の半径方向の嵌合部位に、それぞれ半径方向に突出し又は窪んだ山部と谷部を形成するとよい。
【００１２】
【発明の実施の形態】
以下、本発明に係る雌型の医療器具を輸液配管に取り付ける混注管に適用した第１実施形態を図面に基づいて説明する。
【００１３】
この混注管１０は、図１に示すように、輸液配管に接続する混注管本体１１と、混注管本体１１に装着され、液漏れを防止するシール弁部材１２と、ツイストロック式注射器１００（図６（ｂ）参照）を螺合させるスリーブ部１３を備えたキャップ部材１４とを備えている。
【００１４】
この混注管本体１１は、図１、図２（ａ）に示すように、輸液配管の途中に接続される配管であり、両端に輸液配管の配管を接続する接続部２１、２２を備えている。混注管本体１１の内部には主流路２３が形成されており、その中央部に分岐部２４がある。混注管本体１１の上部には、分岐部２４を臨むように開口した開口部２５が形成されている。この開口部２５は開口２６の周囲にシール弁部材１２を載置する着座部２７があり、開口部２５の上端面には、図２（ａ）に示すように、上方に突出した山部２８と下方に窪んだ谷部２９が交互に周方向に連続して形成されている。なお、山部２８の先端は先細りした形状に形成されている。また、開口部２５の外周面にはキャップ部材１４が係合する係合部３０を外径方向に突設している。
【００１５】
キャップ部材１４は、図１、図２（ｂ）に示すように、混注管本体１１の開口部２５を覆うように、開口部２５に装着される部材であって、混注管本体１１の開口部２５に装着される略円板状の基部３１と、基部３１の中心部に貫通し、垂直方向に突設したスリーブ部１３とを備えている。基部３１の外周縁部３２は、混注管本体１１の開口部２５の外周縁に沿って下方に延在しており、その下端に混注管本体１１の係合部３０に係合する内径方向に突出した係合部３３を備えている。キャップ部材１４のスリーブ部１３は、ツイストロック式注射器１００の雄型の接続口１０１（図６（ｂ）参照）が挿入可能な内径を有し、上端にはツイストロック式注射器１００の雌ねじ部１０３が螺合する螺合片３４を備えている。また、キャップ部材１４のスリーブ部１３の内部は、上部に上方へ向けて内径が徐々に狭くなった球面状の押圧面３７を備えている。
【００１６】
キャップ部材１４の下面には、図２（ｂ）に示すように、混注管本体１１の分岐部２４の上面に形成された山部３５と谷部３６に対応するように、下方に突出した山部３５と上方に窪んだ谷部３６が交互に周方向に連続して形成されている。なお、山部３５の先端は先細りした形状に形成されている。
【００１７】
シール弁部材１２は、混注管本体１１の開口部２５に設けた着座部２７に着座する円板状の基部４１と、基部４１の中央部においてキャップ部材１４のスリーブ部１３内部を上方に突出した突出部４２を有する。シール弁部材１２の突出部４２は、上端の縦断面形状が半球形状に形成されており、その中央部に小径孔４３が形成されている。シール弁部材１２は、突出部４２の上部に、キャップ部材１４のスリーブ部１３の内周に設けた押圧面３７よりも少し曲率半径が大きい略球面状の被押圧面４４を備えている。
【００１８】
シール弁部材１２は、基部４１を混注管本体１１の着座部２７に着座させて、突出部４２をキャップ部材１４のスリーブ部１３内部に装着した状態で、キャップ部材１４を混注管本体１１の分岐部２４に装着することにより、混注管本体１１の着座部２７とキャップ部材１４との間に装着されている。このとき、シール弁部材１２の突出部４２はキャップ部材１４のスリーブ部１３に圧入されており、突出部４２上部の被押圧面４４がキャップ部材１４のスリーブ部１３内部の押圧面３７によって半径方向に押圧される。このため、突出部４２の上端中央部に形成された小径孔４３は常時は圧着密閉状態になっている。
【００１９】
この混注管１０は、混注管本体１１の開口部２５の上端面に、上方に突出した山部２８と下方に窪んだ谷部２９が、交互に周方向に連続して形成されており、この混注管本体１１の山部２８と谷部２９に対応するように、キャップ部材１４の下面に、下方に突出した山部３５と上方に窪んだ谷部３６が交互に周方向に連続して形成されている。このため、キャップ部材１４を混注管本体１１の分岐部２４に装着すると、その装着方向たる上下方向において、キャップ部材１４の山部３５と谷部３６が、混注管本体１１の谷部２９と山部２８に嵌まる。
【００２０】
このとき、キャップ部材１４の山部３５及び混注管本体１１の山部２８は、キャップ部材１４を混注管本体１１の開口部２５に装着するときに、キャップ部材１４の山部３５と混注管本体１１の谷部２９の位置が合っていないときでも、キャップ部材１４の山部３５が混注管本体１１の山部２８を滑り、キャップ部材１４の山部３５の位置が自動的調整されて、キャップ部材１４の山部３５が混注管本体１１の谷部２９に嵌まるようになっている。このため、キャップ部材１４を混注管本体１１の開口部２５に装着するときに、キャップ部材１４と混注管本体１１の周方向の位置合わせが不要になるので作業性が良い。
【００２１】
この混注管１０によれば、図１に示すように、キャップ部材１４のスリーブ部１３にツイストロック式注射器１００を螺合させるとき、キャップ部材１４の山部３５と谷部３６が混注管本体１１の谷部２９と山部２８にそれぞれ周方向に係合しているので、キャップ部材１４がツイストロック式注射器１００と共廻りすることがなく、ツイストロック式注射器１００をスムーズに螺合させることができる。また、ツイストロック式注射器１００を取り外すときも、キャップ部材１４がツイストロック式注射器１００と共廻りしないので作業性が良い。
【００２２】
なお、この混注管１０は、ツイストロック式注射器１００をキャップ部材１４のスリーブ部１３に螺合させると、シール弁部材１２の突出部４２が下方に押し込まれて、シール弁部材１２の突出部４２が押圧変形し、シール弁部材１２の小径孔４３の圧着密閉状態が解除されるようになっている。このため、ツイストロック式注射器１００をキャップ部材１４のスリーブ部１３に螺合させた状態では、混注管１０とツイストロック式注射器１００との間で、薬液の抽出や輸液の注入ができる。また、ツイストロック式注射器１００をキャップ部材１４のスリーブ部１３から取り外すと、図１に示すように、シール弁部材１２の弾性復元力により、シール弁部材１２の突出部４２がキャップ部材１４のスリーブ部１３の内部に戻り、小径孔４３も圧着密閉状態に戻るようになっており、混注管１０内部の薬液が外部に漏れないようになっている。
【００２３】
次に、第２実施形態に係る混注管５０を説明する。この混注管５０は、ツイストロック式注射器１００と同様に、雄型の接続口の周囲を囲むカラーの内周面に雌ねじ構造を有する雄型の医療器具である配管接続コネクタ５１を接続する接続部を備えている。
【００２４】
この配管接続コネクタ５１は、図３に示すように、コネクタ本体５２と、コネクタ本体５２に装着したカラー部材５３とを備えている。コネクタ本体５２は、先端に雄型の接続口５４を有し、中間部に外径が太くなったハブ部５５を有し、基端に配管５６を接続する接続部５７を有している。中間部のハブ部５５は、外径が太くなっており、基端側にカラー部材５３が係合する係合部５８を有している。カラー部材５３は、コネクタ本体５２に外装される部材であり、内周面に雌ねじ構造６０を備えている。カラー部材５３の基端には、コネクタ本体５２の係合部５８に係合する内径側に突出した係合部５９を備えている。
【００２５】
次に、混注管５０は、図３に示すように、輸液配管に接続する混注管本体６１と、混注管本体６１に装着された、液漏れを防止するシール弁部材６２と、配管接続コネクタ５１を螺合させるキャップ部材６３とを備えている。
【００２６】
この混注管本体６１は、図３に示すように、輸液配管の途中に接続される配管であり、両端に輸液配管の配管を接続する接続部７１、７２を備えている。混注管本体６１の内部には主流路７３が形成されており、その中央部に分岐部７４がある。この混注管本体６１は、分岐部７４に連通する複数の分岐流路７５が周方向に所定の間隔で形成されている。なお、図示例では、２つの分岐流路７５が主流路７３に直交する直線に沿って設けられている。
【００２７】
分岐流路７５の上端はシール弁部材６２が着座する着座部７６となっており、分岐流路７５の外周面には、後述するキャップ部材６３の係合部７７（図２（ｂ）参照）が半径方向に嵌まりこむ係合溝７８が形成されている。係合溝７８には、図４（ａ）（ｂ）に示すように、半径方向に突出した山部７９と半径方向に窪んだ谷部８０が周方向に交互に連続して形成されている。なお、山部７９の先端は先細りした形状に形成されている。
【００２８】
キャップ部材６３は、図５（ａ）（ｂ）に示すように、混注管本体６１の分岐流路７５の上端開口８１を覆うように、分岐流路７５の上端開口８１に装着される部材であって、分岐流路７５の上部に外装される筒状部８２と、分岐流路７５の上端開口８１を覆う略半球状部８３を有する形状を備えている。このキャップ部材６３は、外周面に配管接続コネクタ５１の雌ねじ螺合構造６０が螺合する螺合片８４が外径方向に突設されている。
【００２９】
キャップ部材６３の筒状部８２の下端には、内周面に分岐流路７５の係合溝７８に嵌まる係合部８５が内径方向に突出して設けられている。この係合部８５には、図５（ａ）（ｂ）に示すように、係合溝７８の山部７９と谷部８０に対応して、係合溝７８への装着方向たる半径方向に窪んだ谷部８６と半径方向に突出した山部８７が周方向に交互に連続して形成されている。なお、山部８７の先端は先細りした形状に形成されている。また、キャップ部材６３の略半球状部８３の内周面は、後述するシール弁部材６２を内径方向に押圧する押圧面８８になっている。また、キャップ部材６３の略半球状部８３の頂部には、配管接続コネクタ５１の雄型の接続部５４を挿入する挿入口８９が形成されている。
【００３０】
シール弁部材６２は、混注管本体６１の分岐流路７５の上端に設けた着座部７６に着座する略半球形状の部材で、その頂部に小径孔９１が形成されている。このシール弁部材６２の外周面９２の曲率半径は、キャップ部材６３の押圧面８８の曲率半径よりも少し大きく形成されている。
【００３１】
このシール弁部材６２は、混注管本体６１の分岐流路７５の上端に設けた着座部７６に着座させた状態で、キャップ部材６３を混注管本体６１の分岐流路７５に装着することにより、混注管本体６１の着座部７６とキャップ部材６３との間に装着されている。シール弁部材６２の外周面９２は、キャップ部材６３の内周面よりも少し大きくなっており、キャップ部材６３を装着したときに、キャップ部材６３の内周面によって内径方向に押圧される。この押圧力により、シール弁部材６２の頂部は内径方向に圧縮変形するので、頂部に形成された小径孔９１が常時は圧着密閉状態になっている。
【００３２】
この混注管５０は、混注管本体６１の分岐流路７５の外周面に設けた係合溝７８に、半径方向に突出した山部７９と半径方向に窪んだ谷部８０が周方向に交互に連続して形成されており、斯かる係合溝７８に嵌まるキャップ部材６３の係合部８５には、分岐流路７５の係合溝７８の山部７９と谷部８０に対応して、係合溝７８への装着方向たる半径方向に窪んだ谷部８６と半径方向に突出した山部８７が周方向に交互に連続して形成されている。このため、キャップ部材６３を混注管本体６１の分岐流路７５に装着すると、キャップ部材６３の係合部８５が、分岐流路７５の係合溝７８に嵌まり込む方向である半径方向において、キャップ部材６３の係合部８５の山部８７と谷部８６が、分岐流路７５の係合溝７８の谷部８０と山部７９に嵌まる。
【００３３】
このとき、キャップ部材６３の山部８７及び分岐流路７５の山部７９は、キャップ部材６３を分岐流路７５に装着するときに、キャップ部材６３の山部８７と分岐流路７５の谷部８０の位置が合っていないときでも、キャップ部材６３の山部８７が分岐流路７５の山部７９を滑り、キャップ部材６３の山部８７の位置が自動的調整されて、キャップ部材６３の山部８７が分岐流路７５の谷部８０に嵌まるようになっている。このため、キャップ部材６３を分岐流路７５の開口部２５に装着するときに、キャップ部材６３と分岐流路７５の周方向の位置合わせが不要になるので作業性が良い。
【００３４】
この混注管５０によれば、図３に示すように、キャップ部材６３のスリーブ部１３に配管接続コネクタ５１のカラー部材５３を螺合させるとき、キャップ部材６３の山部８７と谷部８６が混注管本体６１の谷部８０と山部７９にそれぞれ周方向に係合しているので、キャップ部材６３が配管接続コネクタ５１のカラー部材５３と共廻りすることがなく、配管接続コネクタ５１のカラー部材５３をスムーズに螺合させることができる。また、配管接続コネクタ５１を取り外すときも、キャップ部材６３が同様に配管接続コネクタ５１のカラー部材５３と共廻りしないので作業性が良い。
【００３５】
なお、この混注管５０は、配管接続コネクタ５１のカラー部材５３をキャップ部材６３に螺合させると、配管接続コネクタ５１の雄型の接続口５４により、シール弁部材６２の頂部が下方に押し込まれて、シール弁部材６２の小径孔９１の圧着密閉状態が解除されるようになっている。このため、配管接続コネクタ５１をキャップ部材６３に螺合させ、配管接続コネクタ５１の雄型の接続口５４により、シール弁部材６２の頂部を下方に押し込んだ状態では、混注管５０と配管接続コネクタ５１との間で、薬液の抽出や注入ができる。また、配管接続コネクタ５１をキャップ部材６３から取り外すと、図３に示すように、シール弁部材６２の弾性復元力により、シール弁部材６２の頂部がキャップ部材６３の内部に戻り、小径孔９１も圧着密閉状態に戻るようになっており、混注管５０内部の薬液が外部に漏れないようになっている。
【００３６】
以上、本発明に係る雌型の医療器具の実施形態を説明したが本発明に係る雌型の医療器具は上述した実施形態に限定されるものではない。
【００３７】
上記実施形態では、雌型の医療器具の開口部とキャップ部材に設けた山部が、それぞれ三角形状に先端が先細りした形状を例示したが、先端が先細りした山部の形状として円弧状に湾曲した形状にしてもよい。
【００３８】
【発明の効果】
本発明に係る雌型の医療器具は、雌型の医療器具の開口部とキャップ部材がそれぞれ装着部に、周方向に交互に連続して、装着方向に突出し又は窪んだ山部と谷部を備えており、雌型の医療器具の開口部とキャップ部材にそれぞれ設けた山部と谷部を相互に係合させたので、雄型の医療器具を接続するときに、雌型の医療器具の開口部とキャップ部材が周方向に係合し、キャップ部材が雄型の医療器具と共廻りすることがない。これにより作業性が良い。また、雌型の医療器具の開口部とキャップ部材がそれぞれ装着部に、周方向に交互に連続して、装着方向に突出し又は窪んだ山部と谷部を備えているので、雌型の医療器具の開口部にキャップ部材を装着するときに、キャップ部材と雌型の医療器具の開口部を周方向に位置合わせをする必要が無く、キャップ部材の装着作業も良い。
【図面の簡単な説明】
【図１】本発明の第１実施形態に係る混注管の縦断面図である。
【図２】（ａ）は混注管本体の側面図、（ｂ）はキャップ部材の縦断面図である。
【図３】本発明の第２実施形態に係る混注管の縦断面図である。
【図４】（ａ）は混注管本体の分岐流路の係合溝を示す分岐流路のＡ−Ａ断面矢視図、分岐流路の正面図。
【図５】（ａ）はキャップ部材の係合部を示すキャップ部材の縦断面図、（ｂ）はキャップ部材の底面図である。
【図６】（ａ）はツイストロック式注射器を示す図、（ｂ）はツイストロック式注射器本体を示す図、（ｃ）はツイストロック式注射器の注射針を示す図である。
【符号の説明】
１０  混注管
１１  混注管本体
１２  シール弁部材
１３  スリーブ部
１４  キャップ部材
２１、２２  接続部
２３  主流路
２４  分岐部
２５  開口部
２６  開口
２７  着座部
２８  山部
２９  谷部
３０  係合部
３１  基部
３２  外周縁部
３３  係合部
３４  螺合片
３５  山部
３６  谷部
３７  押圧面
４１  基部
４２  突出部
４３  小径孔
４４  被押圧面
５０  混注管
５１  配管接続コネクタ
５２  コネクタ本体
５３  カラー部材
５４  雄型の接続口
５５  ハブ部
５６  配管
５７  接続部
５８  コネクタ本体の係合部
５９  カラー部材の係合部
６０  雌ねじ螺合構造
６１  混注管本体
６２  シール弁部材
６３  キャップ部材
７１、７２  接続部
７３  主流路
７４  分岐部
７５  分岐流路
７６  着座部
７７  係合部
７８  係合溝
７９  山部
８０  谷部
８１  分岐流路の上端開口
８２  筒状部
８３  略半球状部
８４  螺合片
８５  係合部
８６  谷部
８７  山部
８８  押圧面
８９  挿入口
９１  小径孔
９２  外周面
１００  ツイストロック式注射器
１０１  雄型の接続口
１０２  カラー
１０３  雌ねじ部
１０６  螺合片
１０７  注射針
【図１】
2004275665.tif 000003
【図２】
2004275665.tif 000004
【図３】
2004275665.tif 000005
【図４】
2004275665.tif 000006
【図５】
2004275665.tif 000007
【図６】
2004275665.tif 000008